(57)【要約】【課題】長寿命の発光デバイス、蛍光ランプを提供する。【解決手段】複合蛍光ランプが提供される。複合蛍光ランプは、少なくとも１つの冷陰極蛍光ランプ（ＣＣＦＬ）とインピーダンス変成器を備える。各ＣＣＦＬは、第１の電極と第２の電極を有する。インピーダンス変成器は、第１の電極と第２の電極に連結され、少なくとも１つのＣＣＦＬを点灯するためにＡＣ信号を高電圧信号に変換する。【選択図】図２
2010192423.tif 000002
【特許請求の範囲】
【請求項１】
第１の電極と第２の電極とを有する少なくとも１つの冷陰極蛍光ランプ（ＣＣＦＬ）と、
交流（ＡＣ）信号を、高電圧信号に変えて少なくとも１つのＣＣＦＬを点灯するために、第１の電極と第２の電極に連結したインピーダンス変成器と、
を備える複合蛍光ランプ。
【請求項２】
熱陰極蛍光ランプ（ＨＣＦＬ）の照明設備に組み込まれる請求項１に記載の複合蛍光ランプ。
【請求項３】
前記少なくとも１つのＣＣＦＬは、内部電極タイプＣＣＦＬである、請求項１に記載の複合蛍光ランプ。
【請求項４】
前記少なくとも１つのＣＣＦＬは、外部電極タイプＣＣＦＬである、請求項１に記載の複合蛍光ランプ。
【請求項５】
前記少なくとも１つのＣＣＦＬの電極の絶縁部層は、ガラスまたはセラミックでできている、請求項１に記載の複合蛍光ランプ。
【請求項６】
ＨＣＦＬの電子バラストによって駆動される請求項１に記載の複合蛍光ランプ。
【請求項７】
特定の設計のバラストによって駆動される請求項１に記載の複合蛍光ランプ。
【請求項８】
前記ＡＣ信号は、電子バラストにより地域交流電圧から変換される、請求項１に記載の複合蛍光ランプ。
【発明の詳細な説明】
【技術分野】
【０００１】
本出願は、２００９年２月１８日に出願の台湾特許出願番号第９８１０５１８３号に基づく優先権を主張するものであり、開示された事項は、引用によって本明細書に組み込まれる。
本発明は、一般には、複合蛍光ランプに関し、具体的には、長寿命複合蛍光ランプに関するものである。
【背景技術】
【０００２】
（関連技術の説明）
台湾特許第Ｍ３５７５６１号に示されているように、熱陰極蛍光ランプは、一般にバラストと協調して動作する。図１に、従来の発光デバイスの概略図を示す。発光デバイス１００は、バラスト１１０と、熱陰極蛍光ランプ（ＨＣＦＬ）１２０を含む。バラスト１１０は、ＨＣＦＬ１２０を点灯するために、交流（ＡＣ）電圧源１１５に連結している。バラスト１１０は、たとえば電子バラストであり、ＨＣＦＬ１２０に対する予熱と照明操作を実行するために、交流電圧源１１５によって出力されるその地域の交流電圧（１１０Ｖ／２２０Ｖ）の周波数を変換するのに使用される。ＨＣＦＬ１２０は、たとえば、Ｔ５、Ｔ８またはＴ９ランプである。
【０００３】
ＨＣＦＬ１２０のフィラメントは、ランプの中の水銀を活性化する電子を生成するために通電され、活性水銀がプラズマと短波紫外線を生成して、照明の可視蛍光を発するランプの内壁を照射する。フィラメントが通電されて十分な高温になるまで、プラズマを生成することができないために、ＨＣＦＬ１２０の寿命は、発光デバイス１００のスイッチ回数に、大きく制限される。ＨＣＦＬ１２０の寿命は３０００〜１２０００時間であるが、発光デバイス１００が、頻繁にスイッチされオン／オフされるほど、ＨＣＦＬ１２０が持つ寿命は短くなる。したがって、従来の発光デバイス１００は使用効率が低いため、更なる改善が必要である。
【先行技術文献】
【特許文献】
【０００４】
【特許文献１】台湾特許第Ｍ３５７５６１号
【発明の概要】
【０００５】
本発明は複合蛍光ランプに関するものである。インピーダンス変成器は、複合蛍光ランプを現在の電子バラストに適用できるように、複合蛍光ランプを点灯させるために必要な高電圧信号を供給するのに用いられる。
【０００６】
本発明の一態様において、複合蛍光ランプが提供される。複合蛍光ランプは、少なくとも１つの冷陰極蛍光ランプ（ＣＣＦＬ）とインピーダンス変成器を備える。各ＣＣＦＬは第１の電極と第２の電極を有する。インピーダンス変成器は、交流（ＡＣ）信号を、高電圧信号に変えて、少なくとも１つのＣＣＦＬを点灯するために、第１の電極と第２の電極に連結している。
【０００７】
本発明は、好適な、しかし、非限定的な実施形態についての以下の詳細な説明により、明らかにされる。以下の記述は、添付の図面を参照して行われる。
【図面の簡単な説明】
【０００８】
【図１】従来の発光デバイスの概略図である。
【図２】本発明の好適な実施形態による発光デバイスの概略図である。
【発明を実施するための形態】
【０００９】
本発明は、複合蛍光ランプに関するものである。インピーダンス変成器は、複合蛍光ランプが、現在のＨＣＦＬの照明設備にとって代わることができるように、複合蛍光ランプを点灯させるために必要な高電圧信号を供給するのに用いられる。
【００１０】
図２に、本発明の好適な実施形態による発光デバイスの概略図を示す。発光デバイス２００は、バラスト２１０と複合蛍光ランプ２２０を含む。バラスト２１０は、たとえばＨＣＦＬで適用される従来の電子バラストである。しかし、本発明はそれに制限されるものではない。バラスト２１０は、特定のデザインのバラストでもよい。バラスト２１０は、交流電圧源２１５によりＡＣ信号に出力されるその地域の交流電圧（１１０Ｖ／２２０Ｖ）を変換するために使用される。ＡＣ信号は３００Ｖ未満の定常状態電圧を持つ。実質的に、ＡＣ信号の電圧と電流はＨＣＦＬのみに適用できる。
【００１１】
複合蛍光ランプ２２０は、少なくとも１つのＣＣＦＬとインピーダンス変成器２２２を含む。図２における２つのＣＣＦＬ２２４およびＣＣＦＬ２２６は、説明のために例示されたものであるが、ＣＣＦＬの数はそれに制限されない。ＣＣＦＬ２２４とＣＣＦＬ２２６の各々は第１の電極と第２の電極を有する。図２に示すように、インピーダンス変成器２２２は、ＣＣＦＬ２２４とＣＣＦＬ２２６の第１の電極と第２の電極に連結している。
【００１２】
インピーダンス変成器２２２は、インピーダンス整合効果を提供し、ＣＣＦＬ２２４とＣＣＦＬ２２６を点灯させるために、バラストにより出力されたＡＣ信号を高電圧信号に変換する。インピーダンス変成器２２２は、バラスト２１０が実質的に最も高い電力生成または十分な電力出力の効果を達成することを可能にする。高電圧信号は、ＣＣＦＬ２２４とＣＣＦＬ２２６を点灯させるために、非常に大きな振幅を有する。実質的に、高電圧信号の振幅は初期段階で１０００ボルト以上に達し、それにより、ＣＣＦＬ２２４とＣＣＦＬ２２６は従来の予熱操作の必要がなく点灯することができる。その後の段階で、高電圧信号は安定し約７００〜８００ボルトを維持する。
【００１３】
インピーダンス変成器２２２が、バラスト２１０によって提供されるＡＣ信号の電圧と電流を、複合蛍光ランプ２２０の内部においてＣＣＦＬ２２４とＣＣＦＬ２２６によって必要とされる駆動電圧と電流に変換することができるために、また、バラスト２１０によって受信されるフィードバック信号は通常の信号でもあるために、バラスト２１０は、特別の設計を必要とすることなく、ＣＣＦＬ２２４とＣＣＦＬ２２６とが照明のために安定して光を発することを可能にすることができる。
【００１４】
本発明の好適な実施形態において、ＣＣＦＬ２２４とＣＣＦＬ２２６は、たとえば内部電極タイプＣＣＦＬあるいは外部電極タイプＣＣＦＬである。しかし、本発明はそれらに制限されるものではない。ＣＣＦＬ２２４とＣＣＦＬ２２６が外部電極タイプＣＣＦＬである場合には、ＣＣＦＬ２２４とＣＣＦＬ２２６の電極の絶縁層は、ガラス、セラミックまたは他の材料でつくることができる。また、従来のＨＣＦＬと比較して、複合蛍光ランプ２２０は、リサイクル可能な固体物理水銀を使用し、そのため、必要とする蛍光体がより少なくてすみ、人体に有害な紫外線を効果的に除去することができ、それによって環境保護と健康の要求を満たすことができる。
【００１５】
本発明の上記の実施形態によって開示される複合蛍光ランプには、多くの利点がある。その一部をリストすると次のようなものである。
【００１６】
本発明の複合蛍光ランプは、ＨＣＦＬの照明設備に直接組み込むことができ、追加コストなしで従来のＴ５、Ｔ８またはＴ９のＨＣＦＬを置き換えることができる。特別な設計のバラストを必要とせず、ＨＣＦＬと同じ照明設備機構を有するからである。また、複合蛍光ランプはＣＣＦＬの特性を有するため、その寿命はランプのスイッチ回数によって制限されることがない。複合蛍光ランプの寿命は、平均で５００００時間以上に達することが可能である。それはインダクタンス・バラストにより駆動されるＴ８またはＴ９ランプの寿命の１０倍以上であり、電子バラストによって駆動されるＴ５ランプの寿命の５倍以上である。
【００１７】
本発明は、実施例として好適な実施形態の点から記述されたが、本発明は、それに制限されるものではないことを理解されたい。本発明は、実施例の種々の変形や、同様の構成、処理手順をカバーすることを意図するものである。したがって、添付の特許請求の範囲は、すべてのそのような変形と同様の構成、処理手順を含むように、最も幅広い解釈を与えるべきものである。
【図１】
2010192423.tif 000003
【図２】
2010192423.tif 000004